(57)【特許請求の範囲】
【請求項１】
裏機構盤に遊技球を貯留する上タンクを設けると共に、この上タンク近傍にて、前記裏機構盤に、電源スイッチ、外部出力端子、電源入力コネクタ等の操作部を含むターミナル基板を設け、このターミナル基板に対するターミナル基板カバーを設けた遊技機において、
前記ターミナル基板カバーは、
該ターミナル基板の電源スイッチ、外部出力端子及び電源入力コネクタを除く背面領域であって、ターミナル基板の前記上タンク側の領域を被う背面部と、該背面部の外周縁から前方に延設した外周壁部とを有し、該外周壁部の上タンク側下部に配線貫通切欠部を形成したケース部と、
該ケース部から横方向に延設され、前記ターミナル基板の電源スイッチ上部を被う延設保護部と、
から構成され、
前記ターミナル基板の上タンク側下部でターミナル基板カバーに覆われた領域にコネクタを設け、該コネクタに配線貫通切欠部を通して配線を接続可能とし、
前記外部出力端子は、ターミナル基板の上タンク側とは反対側の上部に設けられ、
前記ターミナル基板は、
前記外部出力端子とリレーとを設けた外部出力基板と、
当該遊技機に電源を供給すべく電源スイッチ、電源入力コネクタ、バリスタ及びヒューズを設けた電源基板と、
から構成したことを特徴とする遊技機。
【請求項２】
前記ターミナル基板は、ターミナル基板カバーで被われていない外部出力端子及び電源入力コネクタが遊技機の本体枠内に収納されるように、前記裏機構盤に取り付けたことを特徴とする請求項１に記載の遊技機。
【請求項３】
前記裏機構盤の前記ターミナル基板より上側の起立壁を、前記ターミナル基板のターミナル基板カバーで被われていない外部出力端子及び電源入力コネクタよりも、後側に突出させて設けたことを特徴とする請求項１または２に記載の遊技機。
【発明の詳細な説明】
【０００１】
【発明の属する技術分野】
本発明は、裏機構盤に遊技球を貯留する上タンクを設けると共に、その上タンク近傍にて、前記裏機構盤に、外部出力端子等の操作部を含む基板を設け、更にこの基板に対するカバーを設けた遊技機に関するものである。
【０００２】
【従来の技術】
従来の遊技機、例えばパチンコ機においては、当該パチンコ機での賞球、球貸し、球切れ、大当りなどに関する情報を遊技機島内の情報収集用配線を介して管理室の管理コンピュータに向けて出力し、この情報に基づいて遊技店内の各パチンコ機の管理を行っている。このため、各パチンコ機においては、その裏機構盤にターミナル基板を設け、このターミナル基板に、上記情報収集用配線を接続するための外部出力端子を始め、当該パチンコ機に電力を供給するための電源コードを接続するための電源入力コネクタや電源スイッチなどの電気部品を実装し、これらの操作部をターミナル基板カバーで覆っていた。
そして、このターミナル基板カバーには、外部出力端子に接続する情報収集用配線等を通すための開口部や、電源スイッチを操作するための開口部を開設していた。
【０００３】
【発明が解決しようとする課題】
ところで、この様なパチンコ機を遊技機島に設置する際には、各パチンコ機を遊技機島の所定位置に固定し、この遊技機島内に予め引いてある電源コードや情報収集用配線をターミナル基板の電源入力コネクタや外部出力端子に接続している。
しかしながら、遊技機島の内部は狭くて空きスペースが少なく、ここに遊技球を補給する球補給樋や遊技球を回収する球回収樋が通っており、また、情報収集用配線や電源コードばかりでなくその他種々の配線が縦横に引かれているので、ターミナル基板への配線接続作業は、これを行い難い環境となっている。しかも、ターミナル基板カバーに開設されている開口部は単なる開口窓であり、外部出力端子は開口部の奥に位置しているので、指を自由に動かし難く、一層作業を困難にしている。このため、遊技機島に設置したすべての遊技機の配線作業を短時間で効率良く行うことができなかった。
【０００４】
一方、ターミナル基板カバーをターミナル基板の全面に亘って設けることは、ターミナル基板カバーの材料を多量に使用するため不経済であり、必要最小限のできるだけ小さい領域をカバーするように設けて、材料を節約することが望まれる。上記操作性を重視する観点からは、ターミナル基板カバー自体を設けないということも考えられるが、そうすると基板に設けられた各種電気部品に落下球が当たってしまい破損することが考えられ、遊技機全体の安全性を欠くこととなる。
【０００５】
そこで、この操作性及び経済性という両者の要請に基づく問題の解決策として、例えば、ターミナル基板カバーの開口部を拡大することにより接続作業の容易化を図ることが考えられるが、開口部を拡大すると球補給樋等から落下した遊技球がターミナル基板カバーの内部に入り易くなってしまったり、ゴミ等も入り易くなり、短絡や接続不良等のトラブルの原因になる。したがって、開口部を拡大することはできない。
また、操作性を向上させるために、ターミナル基板カバーの開口部から外部出力端子や電源スイッチを突出させると、落下してきた遊技球が当たってトラブルを誘因してしまう。
【０００６】
また、ターミナル基板から、遊技を統括的に制御する遊技制御装置等に供給される電源はパチンコ機外部から供給されたＡＣ２４Ｖのままなので、遊技制御装置等で交流を直流に変換したり、必要な電源を生成しなければならなかった。しかし、この様に構成すると、遊技制御装置等の基板が拡大されてしまい各制御装置自体が大型化して、パチンコ機裏面側の領域の有効利用が果たせない。
【０００７】
本発明は上記問題点を解消すべくなされたものであり、その目的は、ターミナル基板への配線作業を容易に行うことができ、かつ、必要最小限の領域をカバーする経済的なターミナル基板カバーを備えた遊技機を提供しようとするものである。
【０００８】
【課題を解決するための手段】
本発明は、前記目的を達成するためになされたもので、請求項１に記載の発明は、裏機構盤に遊技球を貯留する上タンクを設けると共に、この上タンク近傍にて、前記裏機構盤に、電源スイッチ、外部出力端子、電源入力コネクタ等の操作部を含むターミナル基板を設け、このターミナル基板に対するターミナル基板カバーを設けた遊技機において、
前記ターミナル基板カバーは、
該ターミナル基板の電源スイッチ、外部出力端子及び電源入力コネクタを除く背面領域であって、ターミナル基板の前記上タンク側の領域を被う背面部と、該背面部の外周縁から前方に延設した外周壁部とを有し、該外周壁部の上タンク側下部に配線貫通切欠部を形成したケース部と、
該ケース部から横方向に延設され、前記ターミナル基板の電源スイッチ上部を被う延設保護部と、
から構成され、
前記ターミナル基板の上タンク側下部でターミナル基板カバーに覆われた領域にコネクタを設け、該コネクタに配線貫通切欠部を通して配線を接続可能とし、
前記外部出力端子は、ターミナル基板の上タンク側とは反対側の上部に設けられ、
前記ターミナル基板は、
前記外部出力端子とリレーとを設けた外部出力基板と、
当該遊技機に電源を供給すべく電源スイッチ、電源入力コネクタ、バリスタ及びヒューズを設けた電源基板と、
から構成したことを特徴とする遊技機である。
【０００９】
請求項２に記載のものは、前記ターミナル基板は、ターミナル基板カバーで被われていない外部出力端子及び電源入力コネクタが遊技機の本体枠内に収納されるように、前記裏機構盤に取り付けたことを特徴とする請求項１に記載の遊技機である。
【００１０】
請求項３に記載のものは、前記裏機構盤の前記ターミナル基板より上側の起立壁を、前記ターミナル基板のターミナル基板カバーで被われていない外部出力端子及び電源入力コネクタよりも、後側に突出させて設けたことを特徴とする請求項１または２に記載の遊技機である。
【００１１】
【発明の実施の形態】
以下、本発明の実施の形態を、代表的な遊技機であるパチンコ機を例に挙げて図面に基づいて説明する。
図１は、パチンコ機の背面図、図２はパチンコ機の上部の断面図、図３はターミナル基板の正面図である。
【００１２】
パチンコ機１は、図２に示すように、機枠（本体枠）２の前面に額縁状の前面枠８を開閉可能に取り付け、前面枠８の裏面に取り付けた遊技盤収納フレーム９内に遊技盤を装着して、該遊技盤の表面に形成した遊技領域を前面枠の開口部に臨ませた構成を有する。
そして、遊技盤収納フレーム９の背面には、図１に示すように、枠体状の裏機構盤３を取り付け、この裏機構盤３の上部の一側寄りに、遊技球を貯留する上タンク４を設けてあり、また、上タンク４内の遊技球を導出する球導出シュート５を斜めに設け、この球導出シュート５の傾斜下端に接続して球排出ユニット７を裏機構盤３の一側に設けてある。更に、裏機構盤３には、その球排出ユニット７の上方に位置する裏機構盤３の上部他側隅角部において、ターミナル基板用の取付部６を上タンク４と並べて形成してある。
【００１３】
また、本実施形態では、遊技盤の裏面側中央部分に、可変表示装置の表示制御を行なう表示制御装置１０ａを、その背面に、装飾ランプ等の制御を行なう装飾制御装置１０ｂと効果音の制御を行なう音制御装置１０ｃを並べて配設し、裏機構盤３の下部一側に、遊技を統括的に制御する遊技制御装置１０ｄを、他側に球排出ユニット７の制御を行なう排出制御装置１０ｅを設け、上記遊技制御装置１０ｄの下方に、発射装置を制御する発射制御装置１０ｆを設け、これら別個の制御装置１０ａ，１０ｂ，１０ｃ，１０ｄ，１０ｅ，１０ｆの各々に電源を供給する電源供給装置１０ｇを裏機構盤３の一側に設ける。なお、電源供給装置１０ｇは、パチンコ島側からＡＣ２４Ｖを受けて、各制御装置で使用する電源を生成し各制御装置に供給する。
【００１４】
ターミナル基板用の取付部６は、図３および図４に示すように、裏機構盤３の平面部に起立壁１１を立設して略四角形の基板収納凹部１２を形成し、この基板収納凹部１２の底面の一側寄りには、ネジ止め用の取付支柱１３、先端に小さな凸部を有する位置決め支柱１４を設け、他側寄りには支柱１５を設け、また、この支柱１５側の起立壁１１の内側には、支柱１３，１４，１５上に載せた基板の一端を係止する板状の係止部１６を突設した構成を有している。そして、これら支柱１３，１４，１５や係止部１６等により、上半にはターミナル基板の一構成要素である外部出力基板２０を、下半には同じくターミナル基板の一構成要素である電源基板２１を、それぞれ分離した状態で取り付けられるように構成されている。
【００１５】
外部出力基板２０には、取付部６の起立壁１１間に丁度入り得る横長な基板上に、３つの外部出力端子２２と、電源基板２１側とを結ぶ接続用コネクタ２３と、補給信号用コネクタ２４と、そして２つのリレー２８とを実装し、一側上方に位置決め孔２５を、一側下方に取付孔２６を開設してある。なお、本実施形態の場合、３つの外部出力端子２２は、左側から順に賞球情報用外部出力端子２２ａ（緑色）、球貸し情報用外部出力端子２２ｂ（青色）、球切れ情報用外部出力端子２２ｃ（黒色）となっており、これらの各外部出力端子２２は、所定の接続用コネクタ２３、補給信号用コネクタ２４とそれぞれ導通している。
【００１６】
そして、この様な構成からなる外部出力基板２０をターミナル基板取付部６に取り付けるには、先ず、位置決め孔２５とは反対側の他側を上方の係止部１６の奥に差し入れて、この他側を係止部１６に係止した状態で反対側の一側を取付部６側に前進させて位置決め孔２５内に位置決め支柱１４の凸部を嵌合して所定の位置に合わせ、この状態で取付孔２６内にネジ２７を挿通し、このネジ２７の先端雄ネジ部を取付部６の取付支柱１３のネジ孔内に締め込むことにより固定する。この様にして取り付けると、外部出力基板２０の一側がネジ止めされ、他側が係止部に係止されているので、外れ落ちることがない。
【００１７】
一方、電源基板２１には、横長な基板上のほぼ中央、正確にはやや外側寄り（図３の右寄り）にシーソ型の電源スイッチ３０を、その上方にバリスタ３１を、また左寄り側にヒューズ３２を実装してある。更に、電源基板２１には、中央より外側寄りにおいて、電源接続部としての電源入力コネクタ３３を設けると共に、ヒューズ３２の斜め上方に外部出力基板２０側との接続用コネクタ３５を設け、その左側に発射装置や役物制御装置等に電力をそれぞれ供給するコネクタ３６を設けてある。そして、電源基板２１の一側下方には位置決め孔２５を、一側上方には取付孔２６を開設してある。
【００１８】
この様な構成からなる電源基板２１をターミナル基板取付部６に取り付けるには、外部出力基板２０の場合と同様に、先ず、位置決め孔２５とは反対側の他側を上方の係止部１６の奥に差し入れて、この他側を係止部１６に係止した状態で反対側の一側を取付部６側に前進させて位置決め孔２５内に位置決め支柱１４の凸部を嵌合して所定の位置に合わせ、この状態で取付孔２６からネジ２７を挿通し、このネジ２７を取付部６の取付支柱に締め込むことにより固定する。
【００１９】
次に、取付部６に取り付けた上記ターミナル基板の電気部品を覆って保護するターミナル基板カバー４０について説明する。
ターミナル基板カバー４０は、図１に示すように、上記ターミナル基板の外部出力端子２２及び電源入力コネクタ３３を除く背面領域であって、ターミナル基板の上タンク４側の領域を被うケース部４３と、該ケース部４３の上タンク４側とは反対側の面より横に延設され、ターミナル基板の電源スイッチ４上部を被う延設保護部４４とを具備する。
【００２０】
ターミナル基板カバー４０のケース部４３は、図５に示すように、略四角形の背面部４１と、該背面部４１の外周縁から前方に延設した上下左右の外周壁部４２とを有する概略前面開放の浅い箱状部材から成る。延設保護部４４は、このケース部４３の上タンク４側とは反対側の面から横方向に、ターミナル基板の電源スイッチ３０の上部を被うように延設され、その延設保護部４４の上面４４ａは、背面部４１側、即ちパチンコ機１の後方に向けて下り傾斜させてある。
【００２１】
上側の外周壁部４２には、鏃状の先端係止部を有する係止爪部材５５が後方に突設してある。また、下外周壁部４２には、裏機構盤３に形成してある取付部６の下起立壁１１に開設してある取付孔６０内に嵌合可能な取付爪部６１を下向きに突設してある。そして、左側の外周壁部４２には、下部に配線貫通切欠部６２を形成し、図３に示すように、この配線貫通切欠部６２に役物制御装置やセンサなどからの配線６３を通してコネクタ３６に接続できるように構成してある。なお、右側の外周壁部４２の延設保護部４４の上方には、外部出力端子２２を位置させる空間が確保されている。
【００２２】
上記した構成からなるターミナル基板カバー４０を裏機構盤３の取付部６に取り付けるには、下端に形成してある取付爪部６１を取付部６の下部に開口している取付孔６０内にまず係合し、この状態で上部を裏機構盤３側に押圧する。すると、係止爪部材５５の先端係止部が取付部６の上部に開口している取付孔６４の縁に係合し、ターミナル基板カバー４０が裏機構盤３の取付部６に着脱可能な状態で取り付けられる。なお、ターミナル基板カバー４０を取り外す場合には、係止爪部材５５を撓ませながら手前に引くと、先端係止部を取付孔６４の縁から外れるので、簡単に取り外すことができる。
【００２３】
この様にして裏機構盤３の取付部６にターミナル基板２０，２１を取り付けてターミナル基板カバー４０により覆うと、接続用コネクタ２３、３５、それらを結ぶ接続線群６５、リレー２８、及びヒューズ３２がターミナル基板カバー４０のケース部４３内に位置し、電源スイッチ３０及びバリスタ３１が延設保護部４４の下に位置する。即ち、上タンク４に近い部位の電気部品は、ターミナル基板カバー４０のケース部４３で覆われている。このため、上タンク４からこぼれた球が、これらの電気部品に当たる不都合が防止される。
【００２４】
一方、ターミナル基板カバー４０のケース部４３は、裏機構盤３のターミナル取付部６のほぼ半分に対応する大きさであり、ターミナル基板の外部出力端子２２や電源入力コネクタ３３はケース部４３外に位置し、ケース部４３によって被われていない。従って、これら外部出力端子２２や電源入力コネクタ３３といった操作部の周囲には妨害物が存在せず、その接続操作を容易に行うことができる。また、電源スイッチ４は、パチンコ機１の上下方向に見て、その上方に存在する延設保護部４４を傘として保護されているだけであるので、同様に、そのスイッチ操作が容易に行い得る。
【００２５】
即ち、パチンコ機１のターミナル基板には、図３に示すように、組立工場において、外部出力基板２０の接続用コネクタ２３と電源基板２１の接続用コネクタ３５との間が接続線群６５により接続され、また、各コネクタ２４，３６には、役物制御装置からの配線６３やセンサなどからの配線６３が接続され、電源接続部の電源入力コネクタ３３には、一端にプラグを有する電源コード６６が接続される。そして、これらの配線作業が終了した後にターミナル基板カバー４０が取り付けられてターミナル基板の全体が覆われる。工場からはこの状態で出荷される。
【００２６】
そして、遊技店内に搬送されて遊技機島に設置したならば、遊技機島に予め引かれている情報収集用の配線を外部出力端子２２に接続する。この情報収集用の配線は、遊技機島の上部に引かれているので、各パチンコ機１に対しては上方から垂れ下がる状態である。本実施形態におけるターミナル基板カバー４０では、この接続操作の部位である外部出力端子２２や電源入力コネクタ３３といった操作部は覆っていない。したがって、情報収集用の配線の先端を外部出力端子２２に差し込んだりする細かな作業であっても指の自由運動領域が阻害されないので容易であり、短時間で簡単に接続することができる。このとき、本実施形態では、ターミナル基板カバー４０の表面に、外部出力端子２２や電源スイッチ３０等の電気部品の説明を記したシールを表示部として貼着してあるので、この説明を確認することにより短時間で配線ミスもなく確実に接続することができる。
【００２７】
一方、図２に示すように、ターミナル基板２０，２１は、そのターミナル基板カバー４０で被われていない外部出力端子２２及び電源入力コネクタ３３が遊技機の本体枠である機枠２内に収納されるように、裏機構盤３に取り付けられている。換言すれば、パチンコ機１の前後方向に見て、ターミナル基板は機枠２の後端よりＬ１だけ前側に位置している。このため、遊技機外部の島設備上部から落ちた球は、機枠２にまず当たることとなり、直接ターミナル基板の操作部たる外部出力端子２２や電源入力コネクタ３３に当たる不都合が防止される。
【００２８】
また、裏機構盤３のターミナル基板より上側の起立壁３ａは、ターミナル基板のターミナル基板カバー４０で被われていない外部出力端子２２及び電源入力コネクタ３３よりも、更に後側に突出させて設けてある。換言すれば、パチンコ機の前後方向に見て、ターミナル基板は裏機構盤３の上側起立壁３ａよりＬ２だけ前側に位置している。このため、遊技機上部からの落下球は、裏機構盤３の上側起立壁３ａにまず当たることとなり、直接ターミナル基板の操作部たる外部出力端子２２や電源入力コネクタ３３に当たる不都合が防止される。
【００２９】
また、電源スイッチ３０を操作する場合、電源スイッチ３０の操作部の後端がターミナル基板カバー４０の背面の高さと同じか或は少し内側に引っ込んだ状態で、延設保護部４４下に存在している。したがって、電源スイッチ３０のオン−オフ操作を行い易い。
【００３０】
さらに、上方から遊技球がこぼれ落ちてターミナル基板カバー４０上に落下した場合、延設保護部４４がパチンコ機１の後方に向けて下り傾斜しているので、遊技球が延設保護部４４上に載って止まってしまうことを防止できる。
【００３１】
図６は、裏機構盤３に遊技球を貯留する上タンク４を設けると共に、この上タンク４近傍にて、前記裏機構盤３に、外部出力端子２０を備えた外部出力基板２０を設けたパチンコ機１において、この外部出力基板２０に対する外部出力基板カバー４０′を設けた他の実施形態の要部を示すものである。
この外部出力基板カバー４０′は、図６及び図７に示すように、該外部出力基板２０の外部出力端子２２を除く背面領域であって、外部出力基板２０の上タンク４側（図中左側）の領域を被うケース部４３′を備え、延設保護部４４を備えていない点で前記ターミナル基板カバー４０と異なる。そして、ターミナル基板カバー４０と同様に、取付爪部６１を取付部６の取付孔６０に係合し、係止爪部材５５を取付部６の取付孔６４に係止することにより取付部６に、外部出力基板２０の左半を覆った状態で止着される。
【００３２】
なお、この外部出力基板カバー４０′を取り付ける取付部６は、前記実施形態と同様の構成であり、裏機構盤３から起立壁１１を四周に立設して構成される。そして、この取付部６に取り付ける外部出力基板２０は、前記実施形態と同様の構成であり、外部出力端子２２やリレー２８等を実装してあり、位置決め孔２５により所定位置で係止部１６とネジ２７によって止着される。
【００３３】
この様な構成を採ると、外部出力端子２２への配線を接続する場合に、外部出力端子２２が露出しているので外部出力基板カバー４０′を取り外す手間が不要となり、操作部の操作も容易であり、また、邪魔になるものがないので、作業効率が向上する。そして、上タンク４側は外部出力基板カバー４０′で覆われているので、上タンク４からのこぼれ球が外部出力基板２０に当たることを防止できる。
そして、パチンコ機への電源は、前記ターミナル基板の電源基板２１を介することなく、パチンコ島側から前記電源供給装置１０ｇに接続した電源供給線により直接供給する。したがって、電源基板が不要となって部品点数の減少を図ることができ、また、構造の簡素化を図ることができる。
【００３４】
なお、前記実施形態ではパチンコ機を例に挙げて説明したが、本発明はこれに限定されるものではなく、例えばアレンジボール式遊技機、スロット式遊技機、雀球遊技機などにも適用することができる。
【００３５】
また、今回開示した実施の形態はすべての点で例示であって制限的なものではないと考えるべきである。本発明の範囲は、前記した説明ではなくて特許請求の範囲によって示され、特許請求の範囲と均等の意味および範囲内でのすべての変更が含まれることが意図される。
【００３６】
【発明の効果】
以上説明したように本発明によれば、以下の効果を奏する。
請求項１に記載の発明によれば、球がこぼれ落ちる可能性がある上タンク側のみをターミナル基板カバーのケース部及び延設保護部で覆う構成としたので、ターミナル基板の全域をターミナル基板カバーで覆う構成に比べ、外部出力端子や電源入力コネクタといった操作部の操作性をより向上させることができると共に、ターミナル基板カバーを成型する際の樹脂量を少なくすることができる。また上タンクに近い部位の電気部品は、ターミナル基板カバーのケース部で覆われているので、上タンクからこぼれた球が操作部に当たるのを防止できると共に、島設備側から接続される電源供給用配線の接続も容易になる。
したがって、ターミナル基板への配線作業を容易に行うことができ、また、必要最小限の領域をカバーする経済的なターミナル基板カバーを備えた遊技機を提供することができる。
【００３７】
そして、ターミナル基板が、外部出力端子を設けた外部出力基板と、当該遊技機に電源を供給すべく電源スイッチ、電源入力コネクタ、バリスタ及びヒューズを設けた電源基板とから構成したので、電源側の接続と外部出力側の接続とを混乱なしに行うことができる。
【００３８】
請求項２に記載の発明によれば、ターミナル基板が、そのターミナル基板カバーで被われていない外部出力端子及び電源入力コネクタが遊技機の本体枠内に収納されるように裏機構盤に取り付けられるので、遊技機外部の島設備上部から落ちた球が直接にターミナル基板の外部出力端子や電源入力コネクタといった操作部に当たることが防止される。
【００３９】
請求項３に記載の発明によれば、裏機構盤のターミナル基板より上側の起立壁を、ターミナル基板のターミナル基板カバーで被われていない外部出力端子及び電源入力コネクタよりも、後側に突出させて設けたので、遊技機上部からの落下球が、直接に、外部出力端子や電源入力コネクタといった操作部に当たるのを防止することができる。
【図面の簡単な説明】
【図１】パチンコ機の背面図である。
【図２】パチンコ機の上部の断面図である。
【図３】裏機構盤の取付部にターミナル基板を取り付けた状態を示す正面図である。
【図４】裏機構盤の取付部からターミナル基板を外した状態を示す斜視図である。
【図５】ターミナル基板カバーの斜視図である。
【図６】裏機構盤の取付部に外部出力基板を取り付けた状態を示す正面図である。
【図７】ターミナル基板カバーの他の実施形態の斜視図である。
【符号の説明】
１  パチンコ機
２  機枠
３  裏機構盤
４  上タンク
５  球導出ユニット
６  ターミナル基板用の取付部
７  球排出ユニット
８  前面枠
９  遊技盤収納フレーム
１０  裏機構盤の平面部
１１  起立壁
１２  基板収納凹部
１３  ネジ止め用の取付支柱
１４  位置決め支柱
１５  支柱
１６  係止部
２０  外部出力基板
２１  電源基板
２２  外部出力端子
２３  接続用コネクタ
２４  補給信号用コネクタ
２５  位置決め孔
２６  取付孔
２７  ネジ
２８  リレー
３０  電源スイッチ
３１  バリスタ
３２  ヒューズ
３３  電源入力コネクタ
３５  接続用コネクタ
３６  コネクタ
４０，４０′  ターミナル基板カバー
４１  背面部
４２  外周壁部
４３，４３′  ケース部
４４  延設保護部
４４ａ  上面
５５  係止爪部材
６０  取付孔
６１  取付爪部
６２  配線貫通切欠部
６３  配線
６４  取付孔
６５  接続線群
６６  電源コード
【図１】
0003683142.tif 000002
【図２】
0003683142.tif 000003
【図３】
0003683142.tif 000004
【図４】
0003683142.tif 000005
【図５】
0003683142.tif 000006
【図６】
0003683142.tif 000007
【図７】
0003683142.tif 000008